(57)【要約】【課題】  １枚の電気光学パネルで両面表示を行うという特殊な構造に適応した構成を採用することにより、両面いずれにおいても好適な画像を表示することのできる電気光学装置、およびそれを用いた電子機器を提供すること。【解決手段】  電気光学装置１において、液晶パネル１０は、光源装置６の導光板６１からパネル内に入射した光を第２面１２０側から透過光として出射する間に画素１１の各々で光変調して透過モードの画像を生成するとともに、第１面１１０側から反射光として出射する間に画素１１の各々で光変調して反射モードの画像を生成する。従って、透過モードと反射モードとにおいて液晶パネル１０で生成される画像の少なくとも一部を鏡像反転させて、第１面１１０側および第２面１２０側のいずれからみても、反転のない画像を表示する。【選択図】  図４
2005331742.tif 000002
【特許請求の範囲】
【請求項１】
多数の画素がマトリクス状に配置された電気光学パネルと、該電気光学パネルに画像を生成させる駆動手段とを有する電気光学装置において、
光源からの出射光を前記電気光学パネルの第１面側および第２面側のうちの第１面側に対向配置された導光部材から前記電気光学パネルに向けて出射する光源装置を有し、
前記電気光学パネルは、前記駆動手段により、前記光源装置からパネル内に入射した光を前記第２面側から透過光として出射する間に前記画素の各々で光変調して透過モードの画像を生成するとともに、前記第１面側から反射光として出射する間に前記画素の各々で光変調して反射モードの画像を生成し、
前記駆動手段は、透過モードと反射モードとにおいて前記電気光学パネルで生成される画像の少なくとも一部を鏡像反転させる画像反転手段を備えていることを特徴とする電気光学装置。
【請求項２】
請求項１において、前記光源装置は、透過モードおよび反射モードのいずれにより画像を表示するかによって前記光源からの出射光量を調節する調光手段を備えていることを特徴とする電気光学装置。
【請求項３】
請求項２において、前記調光手段は、反射モードで画像を表示する際には、透過モードで画像を表示するときに比較して前記光源からの出射光量を低下させることを特徴とする電気光学装置。
【請求項４】
請求項１ないし３のいずれかにおいて、前記導光部材は、前記電気光学パネルへの光の出射方向が前記第１面の法線方向に対して斜めに傾いていることを特徴とする電気光学装置。
【請求項５】
請求項１ないし４のいずれかにおいて、前記光源は、ＬＥＤであることを特徴とする電気光学装置。
【請求項６】
請求項５において、前記光源装置は、ステンレスよりも熱導伝率の高い材料からなる放熱板を備えていることを特徴とする電気光学装置。
【請求項７】
請求項６において、前記放熱板は、リン青銅およびベリリウム銅のうちのいずれかから構成されていることを特徴とする電気光学装置。
【請求項８】
請求項１ないし７のいずれかにおいて、前記第１面側には、当該第１面側の画像表示領域の周囲を覆う第１遮光部材を備え、
前記第２面側には、当該第２面側の画像表示領域の周囲を覆う第２遮光部材を備えていることを特徴とする電気光学装置。
【請求項９】
請求項８において、前記第１面側と前記第１遮光部材の間、および前記第２面側と前記第２遮光部材の間のうちの少なくとも一方には、前記画像表示領域の周囲を覆う第３遮光部材を備えていることを特徴とする電気光学装置。
【請求項１０】
請求項８において、前記導光部材は、前記第１面側と前記第１遮光部材の間に配置され、
前記第１面側と前記導光部材との間に前記画像表示領域の周囲を覆う第３遮光部材を備えていることを特徴とする電気光学装置。
【請求項１１】
請求項１ないし１０のいずれかに規定する電気光学装置を備えていることを特徴とする電子機器。
【発明の詳細な説明】
【技術分野】
【０００１】
本発明は、電気光学パネルの両面で画像を表示可能な電気光学装置、およびそれを用いた電子機器に関するものである。
【背景技術】
【０００２】
代表的な電気光学装置の一つである液晶装置は、薄型、軽量、低消費電力という特長を有していることから、携帯電話機やモバイルコンピュータなどの電子機器において表示装置として広く用いられている。また、折り畳み式携帯電話機などでは、開いた状態および折り畳んだ状態のいずれの状態でも画像を表示可能なように、２枚の液晶パネルを用いて、蓋材の内面にメインの液晶表示部を構成する一方、蓋材の外面にサブの液晶表示部が構成されている。
【０００３】
ここに、液晶パネルとして半透過反射型のパネルを１枚用い、この１枚のパネルによって光源装置から出射された光に光変調を行うことにより、一方面側から出射される透過光によって透過モードの画像を生成するとともに、他方面側から出射される反射光によって反射モードの画像を生成する液晶装置が提案されており、このような液晶装置によれば、少ない部品点数でメインおよびサブの液晶表示部を構成することができる（例えば、特許文献１、２参照）。
【特許文献１】特開２００３−９８５４５号公報
【特許文献２】特開２００３−２７９９７０号公報
【発明の開示】
【発明が解決しようとする課題】
【０００４】
しかしながら、特許文献１に記載のものでは、液晶パネルが面内方向でメインの反射表示領域とサブの透過表示領域が２つに領域分割された構成である。このため、両面表示が可能であるといっても、表示領域が面内方向でずれているので、電子機器に搭載する場合、レイアウト面での制約が大きい。
【０００５】
これに対して、特許文献２に記載ものでは、多数の画素の各々で透過光および反射光に光変調を行うため、１枚の液晶パネルの表面側および裏面側の平面的に重なる領域の各々に表示部を構成することができる。
【０００６】
しかしながら、特許文献２に記載の従来技術でも、１枚の液晶パネルで両面表示を行うという特殊な構造に適応した構成を備えていないため、以下の問題点がある。まず、１枚の液晶パネルで画像を形成した場合、表面側からみた場合と裏面側からみた場合とでは画像が反転するにもかかわらず、なんら対処されていない。このため、従来技術では、表面側には文字や図形などの画像を表示できても、裏面側では、鏡像反転が問題とならない簡単な図形などしか表示できないという問題点がある。また、反射モードで表示する際、光源装置からの出射光量を透過モードのままの高いレベルにしておくと、反射モードの際に眩し過ぎるという問題点があるが、従来技術では、このような問題点にもなんら対処されていない。
【０００７】
以上の問題点に鑑みて、本発明の課題は、１枚の電気光学パネルで両面表示を行うという特殊な構造に適応した構成を採用することにより、両面いずれにおいても好適な画像を表示することのできる電気光学装置、およびそれを用いた電子機器を提供することにある。
【課題を解決するための手段】
【０００８】
上記課題を解決するために、本発明では、多数の画素がマトリクス状に配置された電気光学パネルと、該電気光学パネルに画像を生成させる駆動手段とを有する電気光学装置において、光源からの出射光を前記電気光学パネルの第１面側および第２面側のうちの第１面側に対向配置された導光部材から前記電気光学パネルに向けて出射する光源装置を有し、前記電気光学パネルは、前記駆動手段により、前記光源装置からパネル内に入射した光を前記第２面側から透過光として出射する間に前記画素の各々で光変調して透過モードの画像を生成するとともに前記第１面側から反射光として出射する間に前記画素の各々で光変調して反射モードの画像を生成し、前記駆動手段は、透過モードと反射モードとにおいて前記電気光学パネルで生成される画像の少なくとも一部を鏡像反転させる画像反転手段を備えていることを特徴とする。
【０００９】
本発明において、電気光学パネルは、光源装置からパネル内に入射した光を多数の画素の各々で光変調して第２面側で透過モードの画像を生成するとともに、第１面側に反射モードの画像を生成するため、１枚の電気光学パネルの表裏重なる領域で画像をマトリクス表示することができる。また、駆動手段は、透過モードと反射モードとにおいて電気光学パネルで表示される画像の少なくとも一部を鏡像反転させる画像反転手段を備えているため、電気光学パネルで生成された画像を第１面側からみた場合と第２面側からみた場合とで画像が反転しない。従って、第１面側および第２面側のいずれにおいても文字や図形を好適に表示できる。
【００１０】
本発明において、前記光源装置は、透過モードおよび反射モードのいずれにより画像を表示するかによって前記光源からの出射光量を調節する調光手段を備えていることが好ましい。ここで、前記調光手段は、反射モードで画像を表示する際には、透過モードで画像を表示するときに比較して前記光源からの出射光量を低下させることが好ましい。このように構成すると、透過モードで画像を表示する際には、光源からの出射光量を高めることにより、輝度の高い画像を表示することができる。また、反射モードで画像を表示する際には、光源からの出射光量を低下させることにより、眩しさを解消することもできる。
【００１１】
本発明において、前記導光部材は、前記電気光学パネルへの光の出射方向が前記第１面の法線方向に対して斜めに傾いていることが好ましい。このように構成すると、反射モードで画像を表示したときの眩しさを解消することができる。
【００１２】
本発明において、前記光源としてはＬＥＤ（Ｌｉｇｈｔ  Ｅｍｉｔｔｉｎｇ  Ｄｉｏｄｅ）を用いることが好ましい。光源としてＬＥＤを用いれば、光源の小型化および省電力化などを図ることができる。この場合、前記光源装置は、ステンレスよりも熱導伝率の高い材料からなる放熱板を備えていることが好ましい。例えば、前記放熱板は、リン青銅およびベリリウム銅のうちのいずれかから構成されていることが好ましい。このように構成すると、ＬＥＤで発生した熱を効率よく逃がすことができるので、その分、ＬＥＤからの出射光量を増大させることができる。
【００１３】
本発明において、前記第１面側には、当該第１面側の画像表示領域が形成されるとともに当該画像表示領域の周囲を覆う第１遮光部材を備え、前記第２面側には、当該第２面側の画像表示領域が形成されるとともに当該画像表示領域の周囲を覆う第２遮光部材を備えていることが好ましい。
【００１４】
ここで、画像表示領域の縁部分が目立つような場合には、前記第１面側と前記第１遮光部材の間、および前記第２面側と前記第２遮光部材の間のうちの少なくとも一方には、前記画像表示領域の周囲を覆う第３遮光部材を配置することが好ましい。また、前記導光部材は、前記第１面側と前記第１遮光部材の間に配置され、前記第１面側と前記導光部材との間に前記画像表示領域の周囲を覆う第３遮光部材を配置することが好ましい。
【００１５】
本発明に係る電気光学装置は、携帯電話機やモバイルコンピュータなどの電子機器において表示部を構成するのに用いられる。また、本発明に係る電気光学装置は、各種電子機器のうち、折り畳み式携帯電話機のように、本体を広げた状態と折り畳んだ状態に使用される電子機器への使用に適している。
【発明を実施するための最良の形態】
【００１６】
図面を参照して、本発明の実施の形態を説明する。
【００１７】
［実施の形態１］
（電子機器および電気光学装置の全体構成）
図１（Ａ）、（Ｂ）、（Ｃ）は、本発明を適用した電子機器の電気的構成を示すブロック図、本発明の電子機器の一例を示す携帯電話機の折り畳んだ状態を示す説明図、およびこの携帯電話機を開いた状態の説明図である。図２は、本発明を適用した電気光学装置の電気的構成を示すブロック図である。
【００１８】
図１（Ａ）において、本発明を適用した電子機器は、例えば、表示情報出力源１７０、電源回路１７２、タイミングジェネレータ１７３、電気光学装置１などを有しており、電気光学装置１は、液晶パネル１０（電気光学パネル）、光源装置６、および駆動回路２００（駆動手段）を備えている。駆動回路２００は、表示情報処理回路１５、および図２を参照して後述する走査線駆動回路２６０やデータ線駆動回路２５０等を総称したものである。表示情報出力源１７０は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等といったメモリ、各種ディスク等といったストレージユニット、デジタル画像信号を同調出力する同調回路等を備え、タイミングジェネレータ１７３によって生成された各種のクロック信号に基づいて、所定フォーマットの画像信号等といった表示情報を電気光学装置１の表示情報処理回路１５に供給する。表示情報処理回路１５は、シリアル−パラレル変換回路や、増幅・反転回路、ローテーション回路、ガンマ補正回路、クランプ回路等といった周知の各種回路を備え、入力した表示情報の処理を実行して、その画像信号をクロック信号ＣＬＫとともに走査線駆動回路２６０やデータ線駆動回路２５０へ供給する。
【００１９】
電子機器は、例えば、図１（Ｂ）、（Ｃ）に示す折り畳み式の携帯電話機１００として構成される。この携帯電話７０では、液晶パネル１０を備えた蓋体１３０がヒンジ部１４０を介して操作本体１５０に回動自在に連結されている。また、携帯電話機１０は、蓋体１３０の内側で蓋体１３０を開いたときに画像を表示するメイン表示部１１１を備える一方、蓋体１３０の外側には、蓋材１３０を操作本体１５０に折り重ねたときに画像を表示するサブ表示部１２１を備えている。
【００２０】
ここで、メイン表示部１１１およびサブ表示部１２１のいずれで画像を表示するかは、携帯電話機１００の折り畳み操作で切り換えられるので、図１（Ａ）に示すように、電子機器には、携帯電話機１００の折り畳み操作を検出する開閉検出回路１７１が構成され、この開閉検出回路１７１は、その検出結果を電気光学装置１に出力するようになっている。このような開閉検出回路１７１は、携帯電話機１００での開閉動作により電気的な接続・切断が機構的に行われるスイッチや、センサなどを介して携帯電話機１００の開閉動作を検出する。また、光源装置６は、この光源装置６から出射される光量を調整する調光コントローラＩＣなどを用いた調光装置６０を備えている。このため、携帯電話機１００の開閉動作に連動して、図１（Ｂ）に示すように携帯電話機１００を折り畳んだ状態で、サブ表示部１２１において透過モードで画像を表示するときと、図１（Ｃ）に示すように携帯電話機１００を開いた状態でメイン表示部１１１において反射モードで画像を表示するときとで、光源装置６からの出射光量を調整することができる。
【００２１】
すなわち、本形態では、後述するように、１枚の液晶パネル１０および１つの光源装置６でメイン表示部１１１およびサブ表示部１２１を構成し、液晶パネル１０が生成した画像を表裏いずれの側においても見えるようにしてあるので、調光装置６０は、携帯電話機１００を開いた状態でメイン表示部１１１において反射モードで画像を表示する場合には光源装置６から出射される光量を低く抑え、携帯電話機１００を折り畳んだ状態で、サブ表示部１２１において透過モードで画像を表示するときときの光量を高めるように調光する。
【００２２】
さらに、本形態では、１枚の液晶パネル１０および１つの光源装置６でメイン表示部１１１およびサブ表示部１２１を構成し、液晶パネル１０が生成した画像を表裏いずれの側においても見えるが、従来構造のままでは、液晶パネル１０が生成した画像を表面側からみた場合と裏面側からみた場合とでは、画像が鏡像反転してしまう。そこで、本形態では、表示情報処理回路１５に反転回路１５１（画像反転手段）を構成し、携帯電話機１００を開いた状態でメイン表示部１１１において反射モードで画像を表示する場合と、携帯電話機１００を折り畳んだ状態で、サブ表示部１２１において透過モードで画像を表示するときときとでは、画像の少なくとも一部を鏡像反転するようにしてある。ここで、画像反転手段については、ドライバＩＣや端末内のＲＡＭに書き込んだデータを読み出す際、データを反転して出力することにより、画像を反転する構成を採用してもよい。よって、ＯＳのデバイスドライバＩＣでの画像反転手段、あるいは電気光学装置１の制御ＩＣやドライバＩＣのＲＡＭでの画像反転手段により画像を反転すればよい。また、ドライバＩＣにＲＡＭを内蔵している場合には、コマンドにより画像を反転してもよい。
【００２３】
図２に示すように、電気光学装置１に用いられた液晶パネル１０は、例えば、ネマチック液晶を用いたアクティブマトリクス型の半透過反射型液晶パネルであり、この液晶パネル１０では、複数本の走査線３１が行方向に形成され、複数本のデータ線２１が列方向に形成されている。走査線３１とデータ線２１との各交差部分には画素１１が形成されている。各画素１１では、ネマチック液晶からなる液晶層１２と、二端子型アクティブ素子たるＴＦＤ素子４０とが直列接続している。ここに示す例では、液晶層１２が走査線３１の側に接続され、ＴＦＤ素子４０がデータ線２１の側に接続されているが、液晶層１２がデータ線２１の側に接続され、ＴＦＤ素子４０が走査線３１の側に接続されている構成であってもよい。いずれの場合も、各走査線３１は、走査線駆動回路２６０によって駆動される一方、各データ線２１は、データ線駆動回路２５０によって駆動される。
【００２４】
（液晶パネルの全体構成）
図３は、本発明の実施の形態１に係る電気光学装置の構成を模式的に示す分解斜視図である。図４は、図３に示す電気光学装置の構成を模式的に示す断面図である。図５および図６はそれぞれ、図３に示す電気光学装置の画素構成を平面的に示す説明図、および断面図である。
【００２５】
図３および図４に示すように、液晶パネル１０では、素子基板２０と対向基板３０とがスペーサ（図示省略）を含むシール材１４によって一定の間隙を保って接合されるとともに、この間隙に液晶層１２が封入、保持された構成となっている。また、電気光学装置１では、ＣＯＧ（Ｃｈｉｐ  Ｏｎ  Ｇｌａｓｓ）技術により、素子基板２０の表面に直接、データ線駆動回路２５０や走査線駆動回路２６０を構成する駆動用ＩＣ１９（ドライバ）が実装されているとともに、素子基板２０にＦＰＣ（Ｆｌｅｘｉｂｌｅ  Ｐｒｉｎｔｅｄ  Ｃｉｒｃｕｉｔ）基板１８が実装され、駆動用ＩＣから対向基板３０への信号供給は、素子基板２０と対向基板３０との間の基板間導通によって行われている。なお、ＣＯＧ技術に限られず、例えば、ＩＣチップがＣＯＦ（Ｃｈｉｐ  Ｏｎ  Ｆｉｌｍ）実装されたＦＰＣ基板を液晶パネル１０に電気的に接続する構成などを採用してもよい。
【００２６】
図５および図６に示すように、液晶パネル１０において、素子基板２０の液晶側表面には下地膜２５が形成されているとともに、この下地膜２５の表面には、複数本のデータ線２１と、それらのデータ線２１に接続された複数のＴＦＤ素子４０と、それらのＴＦＤ素子４０と１対１に接続される画素電極２３とが形成されている。画素電極２３は、ＩＴＯ（Ｉｎｄｉｕｍ  Ｔｉｎ  Ｏｘｉｄｅ）などの透光性導電膜から形成されている。データ線２１は、直線的に延びている一方、ＴＦＤ素子４０および画素電極２３は、ドットマトリクス状に配列されている。画素電極２３などの表面には、ラビング処理が施された配向膜２４が形成されている。配向膜２４は、一般にポリイミド樹脂等から形成される。
【００２７】
対向基板３０の液晶側表面には、凹凸形成層５０と、アルミニウム、アルミニウム合金、銀、銀合金などの単層膜、あるいは複層膜からなる光反射層３３とがこの順に形成されているとともに、その上層側には、赤色（Ｒ）、緑色（Ｇ）、青色（Ｂ）のカラーフィルタ層３４と、オーバーコート層３５と、ＩＴＯなどの透光性導電膜からなる帯状の対向電極３６と、ポリイミド樹脂等から配向膜３７とが形成されている。カラーフィルタ層３４の隙間には遮光膜３８が形成されており、カラーフィルタ層３４の隙間からの入射光を遮蔽する構成となっている。オーバーコート層３５は、カラーフィルタ層３４および遮光層３８の表面においてその平坦性を高め、対向電極３６の断線などを防止する機能を担っている。ここで、対向電極３６は、走査線３１として機能し、データ線２１と直角に交差する方向に形成されている。なお、光反射層３３で反射された光の方向性が強いと、画像をみる角度で明るさが異なるなどの視野角依存性や背景の写り込みなどが顕著に出てしまう。そこで、対向基板３０の表面側には、光反射層３３の下層側に、１層あるいは２層の感光性樹脂などからなる凹凸形成層５０が形成され、この凹凸形成層５０によって光反射層３３の表面に光散乱用の微小な凹凸を形成してある。また、各画素１１において、光反射層３３と平面的に重なる領域には、凹凸形成層５０が形成されている一方、光透過窓３３０と平面的に重なる領域については凹凸形成層５０が形成されていない下地開口部５５になっている。このため、透過モードでの表示の際、凹凸形成層５０での光の吸収などを受けることがない。なお、凹凸形成層５０は光透過性を有するので、光透過窓３３０の形成領域まで凹凸形成層５０が形成されている構成であっても、透過モードでの表示は可能である。
【００２８】
（電気光学装置の詳細な構成）
このように構成した半透過反射型の液晶パネル１０を用いて電気光学装置１を構成するにあたって、本形態では、図３よび図４に示すように、液晶パネル１０の第１面１１０の側には第１偏光板２、光源装置６の導光板６１、および第１遮光部材７１がこの順に重ねて配置され、第２面１２０の側には、第２偏光板３および第２遮光部材７２がこの順に重ねて配置されている。なお、電気光学装置１では、その他にも、光拡散シートや位相差板が配置されるが、これらの部材については、図示および説明を省略する。
【００２９】
本形態では、液晶パネル１０の第１面１１０側で表示される画像をメイン画像とし、第２面１２０側で表示される画像をサブ画像とする。このため、第１遮光部材７１には、第１面１１０側に大きなメイン表示部１１１（画像表示領域）を規定する大きな矩形の開口７１１が形成され、第２遮光部材７２には、第２面１２０側に小さなサブ表示部１２１（画像表示領域）を規定する小さな矩形の開口７２１が形成されており、各表示部１１１、１２１の周りは、第１遮光部材７１および第２遮光部材７２で覆われている。
【００３０】
本形態において、光源装置６は、液晶パネル１０の素子基板２０（第１面１１０）に対向位置された透光性樹脂成形品からなる導光板６１（導光部材）と、この導光板６１の端部に向けて光を出射する複数のＬＥＤ６２と、ＬＥＤ６２に対する放熱板６４とから構成されている。ＬＥＤ６２は配線基板６３に実装され、この配線基板６３にはＦＰＣ基板６５が接続されている。ＦＰＣ基板６５は、図１（Ａ）を参照して説明した調光装置６０に接続され、この調光装置６０によって、ＬＥＤ６２に対する駆動電流が調整される。
【００３１】
導光板６１は、ＬＥＤ６２から出射された光を液晶パネル１０の第１面１１０に向けて出射して、この光を第１偏光板２を介して液晶パネル１０に入射させるものであり、導光板６１において、液晶パネル１０が位置する側とは反対側の面には、導光板６１内を進行する光を液晶パネル１０に向けて反射するプリズムが形成されている。なお、導光板６１自身にプリズムを形成した構成に代えて、導光板６１において液晶パネル１０が位置する側とは反対側の面にプリズムシートを重ねて配置してもよい。いずれの場合にも、本形態では、導光板６１から液晶パネル１０への光の出射方向が第１面１１０の法線方向に対して斜め、例えば約５°程度傾くようにプリズムが形成されている。
【００３２】
本形態において、放熱板６４としては、ステンレス製やアルミニウム製のものを用いることができるが、リン青銅製あるいはベリリウム銅製のものを用いることが好ましい。リン青銅やベリリウム銅は、ステンレスと比較して、熱伝導率がかなり高いので、リン青銅製あるいはベリリウム銅製の放熱板６４を用いれば、ＬＥＤ６２で発生した熱を効率よく逃がすことができる。従って、ステンレス製の放熱板を用いた場合には、ＬＥＤ６２からの出射光量については、１００ｃｄが限界であったところ、リン青銅製あるいはベリリウム銅製の放熱板６４を用いれば、ＬＥＤ６２からの出射光量を２０００ｃｄまで高めるこことができる。
【００３３】
（動作および主な効果）
このように構成した折り畳み式携帯電話機１００および電気光学装置１において、図１（Ｂ）に示すように、携帯電話機１００を折り畳んだ状態では、その旨の信号が開閉検出回路１７１から光源装置６の調光装置６０に出力され、ＬＥＤ６２には、例えば、１個当たり５ｍＡ〜３０ｍＡの駆動電流が供給される。そして、光源装置６の導光板６１から出射された光は、図６の矢印Ｌ２で示すように、素子基板２０の側（第１面１１０の側）から液晶パネル１０に入射し、この入射光は、液晶層１２およびカラーフィルタ層３４を透過した後、光反射層３３の光透過窓３３０を通って対向基板３０の側から出射される。その間に、入射光は、各画素１１において液晶層１２によって光変調されて、液晶パネル１０の第２面１２０側のサブ表示部１２１に透過モードでカラー画像が表示される。
【００３４】
これに対して、図１（Ｃ）に示すように、携帯電話機１００を開くと、その旨の信号が開閉検出回路１７１から光源装置６の調光装置６０に出力され、ＬＥＤ６２には、１個当たり１ｍＡ〜１５ｍＡの駆動電流が供給される。そして、光源装置６の導光板６１から出射された光は、図６の矢印Ｌ１１で示すように、素子基板２０の側（第１面１１０の側）から液晶パネル１０に入射し、この入射光は、液晶層１２およびカラーフィルタ層３４を透過した後、光反射層３３で反射し、再びカラーフィルタ層３４および液晶層１２を通って素子基板２０の側から出射される。また、矢印Ｌ１２で示すように、素子基板２０の側（第１面１１０の側）から液晶パネル１０に入射した外光も、液晶層１２およびカラーフィルタ層３４を透過した後、光反射層３３で反射し、再びカラーフィルタ層３４および液晶層１２を通って素子基板２０の側から出射される。その間に、入射光は、各画素１１において液晶層１２によって光変調されて、液晶パネル１０の第１面１１０側のメイン表示部１１１に反射モードでカラー画像が表示される。
【００３５】
このように本形態の電気光学装置１およびそれを用いた携帯電話機１００において、液晶パネル１０は、光源装置６の導光板６１からパネル内に入射した光を多数の画素１１の各々で光変調して第２面１２０側で透過モードの画像を生成するとともに、第１面１１０側に反射モードの画像を生成するため、１枚の液晶パネル１０の表裏重なる領域で画像をマトリクス表示することができる。
【００３６】
また、携帯電話機１００の開閉操作が行われると、その旨の信号が開閉検出回路１７１から表示情報処理回路１５に出力される。その結果、表示情報処理回路１５の反転回路１５１では、携帯電話機１００を開いた状態でメイン表示部１１１において反射モードで画像を表示する場合と、携帯電話機１００を折り畳んだ状態で、サブ表示部１２１において透過モードで画像を表示するときときとでは、画像の少なくとも一部が鏡像反転される。従って、液晶パネル１０で生成された画像を第１面１１０側からみた場合と、第２面１２０側からみた場合とで画像が反転しない。従って、第１面１１０側のメイン表示部１１１および第２面１２０側のサブ表示部１２１のいずれにおいても文字や図形を好適に表示できる。
【００３７】
さらに、光源装置６は、透過モードおよび反射モードのいずれにより画像を表示するかによってＬＥＤ６２からの出射光量を調節する調光装置６０を備えているため、反射モードで画像を表示する際には、透過モードで画像を表示するときに比較してＬＥＤ６２からの出射光量を低下させることができる。従って、透過モードで画像を表示する際には、光源からの出射光量を高めることにより、輝度の高い画像を表示することができる。また、反射モードで画像を表示する際には、ＬＥＤ６２からの出射光量を低下させることができるので、眩しさを解消することもできる。しかも、本形態では、導光板６１から液晶パネル１０への光の出射方向が第１面１１０の法線方向に対して斜め、例えば約５°程度傾いているので、メイン表示部１１１において反射モードで画像を表示する際の眩しさを解消することができる。
【００３８】
また、本形態では、光源としてはＬＥＤ６２を用いているので、光源の小型化および省電力化などを図ることができる。しかも、放熱板６４は、リン青銅またはベリリウム銅から構成されており、ＬＥＤ６２で発生した熱を効率よく逃がすことができる。それ故、ＬＥＤ６２からの出射光量を増大させても発熱に起因する信頼性の低下などが発生しない。
【００３９】
［実施の形態２］
図７は、本発明の実施の形態２に係る電気光学装置の構成を模式的に示す断面図である。なお、本形態の電気光学装置は、基本的な構成が実施の形態１と同様であるため、共通する機能を有する部分には同一の符号を付してそれらの説明を省略する。
【００４０】
実施の形態１では、液晶パネル１０の第１面１１０側に反射モードで画像を表示するメイン表示部１１１を構成し、液晶パネル１０の第２面１２０側に透過モードで画像を表示するサブ表示部１２１を構成したが、以下に説明するように構成してもよい。
【００４１】
本形態では、図７に示すように、実施の形態１と同様、半透過反射型の液晶パネル１０を用いて電気光学装置１を構成するにあたって、液晶パネル１０の第１面１１０の側には第１偏光板２、光源装置６の導光板６１、および第１遮光部材７１がこの順に重ねて配置され、第２面１２０の側には、第２偏光板３および第２遮光部材７２がこの順に重ねて配置されている。ここで、第１遮光部材７１には小さな矩形の開口７１２が形成され、液晶パネル１０の第１面１１０側には反射モードで画像を表示する小さなサブ表示部１１２（画像表示領域）が形成されている。また、第２遮光部材７２には大きな矩形の開口７２２が形成され、液晶パネル１０の第２面１２０側には、透過モードで画像を表示する大きなメイン表示部１２１（画像表示領域）が形成されている。
【００４２】
このように構成した電気光学装置１でも、液晶パネル１０は、光源装置６からパネル内に入射した光を多数の画素１１の各々で光変調して第２面１２０側で透過モードの画像を生成するとともに、第１面１１０側に反射モードの画像を生成するため、１枚の液晶パネル１０の表裏重なる領域で画像をマトリクス表示することができる。また、表示情報処理回路１５には反転回路１５１が形成されているので、液晶パネル１０で生成された画像を第１面１１０側からみた場合と、第２面１２０側からみた場合とで画像が反転しない。従って、第１面１１０側のメイン表示部１１１および第２面１２０側のサブ表示部１２１のいずれにおいても文字や図形を好適に表示できるなど、実施の形態１と同様な効果を奏する。
【００４３】
［その他の実施の形態］
図４や図７に示すように構成した際、第１遮光部材７１や第２遮光部材７２の開口縁が目立つ場合には、例えば、図８（Ａ）に示すように、第１面１１０側と第１遮光部材７１の間、あるいは第２面１２０側と第２遮光部材７２の間に対して、開口７１１、７２１の周囲を覆う黒色のシートなどからなる第３遮光部材９を配置してもよい。また、図８（Ｂ）に示すように、第３遮光部材９については、第１面１１０側と第１遮光部材７１の間に配置した導光部材６１と、第１面１１０側との間に配置してもよい。
【００４４】
また、反射モードおよび透過モードを利用した構成において、反射モードではカラーフィルタ層３４を２度、通過するが、透過モードでは光がカラーフィルタ層３４を１度しか通過しない。このため、透過モードでカラー画像を表示すると、反射モードでカラー画像を表示した場合と比較して、色が薄くなるおそれがある。従って、図９に示すように、赤色（Ｒ）、緑色（Ｇ）、青色（Ｂ）のカラーフィルタ層３４としては、光反射層３３と平面的に重なる領域には、反射表示用のカラーフィルタ層３４１を形成する一方、光透過窓３３０と平面的に重なる領域には、反射表示用のカラーフィルタ層よりも着色性の強い透過表示用のカラーフィルタ層３４２を形成してもよい。
【００４５】
さらに、上記形態では、カラーフィルタがストライプ配列あるいはモザイク配列された対向基板３０に対して本発明を適用したが、カラーフィルタがデルタ配列された対向基板に本発明を適用してもよい。
【００４６】
さらにまた、上記形態では、光反射層３３の有無によって多数の画素１１の各々に透過領域と反射領域とを構成することにより液晶パネル１０を半透過反射型としたが、各画素１１に対応する領域に薄い金属膜などといった半透過層（部分透過層）を配置することにより、液晶パネル１０を半透過反射型としてもよい。
【００４７】
なお、上記形態では、アクティブ素子としてＴＦＤ素子を用いた液晶パネル１０を例に説明したが、アクティブ素子としてＴＦＴを用いた液晶パネル１０などに本発明を適用してもよい。
【図面の簡単な説明】
【００４８】
【図１】（Ａ）、（Ｂ）、（Ｃ）は、本発明を適用した電子機器の電気的構成を示すブロック図、本発明の電子機器の一例を示す携帯電話機の折り畳んだ状態を示す説明図、およびこの携帯電話機を開いた状態の説明図である。
【図２】本発明を適用した電気光学装置の電気的構成を示すブロック図である。
【図３】本発明の実施の形態１に係る電気光学装置の構成を模式的に示す分解斜視図である。
【図４】図３に示す電気光学装置の構成を模式的に示す断面図である。
【図５】図３に示す電気光学装置の画素構成を平面的に示す説明図である。
【図６】図３に示す電気光学装置の画素構成を示す断面図である。
【図７】本発明の実施の形態２に係る電気光学装置の構成を模式的に示す断面図である。
【図８】（Ａ）、（Ｂ）は、本発明のその他の実施の形態に係る電気光学装置の構成を模式的に示す断面図である。
【図９】（Ａ）、（Ｂ）は、本発明のさらに別の実施の形態に係る電気光学装置の構成を模式的に示す断面図である。
【符号の説明】
【００４９】
１  電気光学装置、６  光源装置、９  第３の遮光部材、１０  液晶パネル（電気光学パネル）、１１  画素、１２  液晶層、１５  表示情報処理回路、２０  素子基板、２１  データ線、２３  画素電極、３０  対向基板、３１  走査線、３３  光反射層、３４  カラーフィルタ層、３６  対向電極、４０  ＴＦＤ素子（アクティブ素子）、６０  調光装置（調光手段）、６１  導光板、６２  ＬＥＤ（光源）、６４  放熱板、７１  第１の遮光部材、７２  第２の遮光部材、１００  折り畳み式携帯電話機、１１０  第１面、１２０  第２面、１１１、１２２  メイン表示部、１１２、１２１  サブ表示部、１５１  反転回路（画像反転手段）、２００  駆動回路（駆動手段）、３３０  光透過窓
【図１】
2005331742.tif 000003
【図２】
2005331742.tif 000004
【図３】
2005331742.tif 000005
【図４】
2005331742.tif 000006
【図５】
2005331742.tif 000007
【図６】
2005331742.tif 000008
【図７】
2005331742.tif 000009
【図８】
2005331742.tif 000010
【図９】
2005331742.tif 000011